(57)【要約】【課題】ビス止めすることなく、高い剛性を備えて横框と縦框とが強固に接合された障子を有する建具を提供する。【解決手段】中空の部材でなる複数の框が矩形状に接合された框体を有する建具であって、前記框体は、互いに接合されて角部を形成する２本の框のうちの一方の框の小口を覆うための端部キャップが、前記一方の框内に長手方向に沿って挿入されていることにより、前記他方の框の長手方向における前記一方の框と前記端部キャップとの相対移動が規制されており、他方の框に、当該他方の框の長手方向から前記一方の框が挿入されて、前記端部キャップに前記他方の框が係止されて前記他方の框の長手方向における前記端部キャップと前記他方の框との相対移動が規制されているとともに、前記一方の框と前記他方の框とが係合して前記他方の框の長手方向における前記一方の框と前記他方の框との相対移動が規制されている。【選択図】図５
2010106498.tif 000002
【特許請求の範囲】
【請求項１】
複数の框が矩形状に接合された框体を有する建具であって、
前記框体は、互いに接合されて角部を形成する２本の框のうちの一方の框の小口を覆うための端部キャップが、前記一方の框内に長手方向に沿って挿入されていることにより、前記他方の框の長手方向における前記一方の框と前記端部キャップとの相対移動が規制されており、
前記一方の框が、他方の框に、当該他方の框の長手方向から挿入されて、前記端部キャップに前記他方の框が係止されて前記他方の框の長手方向における前記端部キャップと前記他方の框との相対移動が規制されているとともに、前記一方の框と前記他方の框とが係合して前記他方の框の長手方向における前記一方の框と前記他方の框との相対移動が規制されていることを特徴とする建具。
【請求項２】
請求項１に記載の建具であって、
前記端部キャップは、前記一方の框に長手方向に沿って挿入される挿入部と、前記挿入部が挿入されて前記框体の外周側となる前記小口の外周側部位に当接されるとともに当該外周側部位を覆う小口覆い部と、前記小口覆い部より前記框体の内周側にて当該小口より外側に突出して他方の框を係止するための係止部と、を有し、
前記他方の框は、前記端部キャップが挿入された前記一方の框の前記小口を前記端部キャップとともに覆う端部覆い部と、前記端部覆い部に形成され、前記係止部が係止される係止受部と、を有し、
前記他方の框に前記一方の框が挿入された際に、前記他方の框の先端が前記小口覆い部に当接されるとともに前記係止受部に前記係止部が係止されることを特徴とする建具。
【請求項３】
請求項２に記載の建具であって、
前記係止部は、前記端部キャップの弾性変形により、前記一方の框の長手方向に沿って前記一方の框の内方側に変位可能に形成され、
前記他方の框に前記一方の框が挿入された際に、前記他方の框における端部覆い部の係止受部より先端側の部位は、前記一方の框の挿入方向とは反対方向への移動が前記係止部によって規制されていることを特徴とする建具。
【請求項４】
請求項１乃至請求項３のいずれかに記載の建具であって、
前記一方の框には、前記框体の内周側に切欠部を有し、
前記他方の框には、前記他方の框に当該一方の框が挿入された際に前記切欠部に係合して、前記一方の框の長手方向における前記一方の框と前記他方の框との相対移動を規制する規制片を有することを特徴とする建具。
【発明の詳細な説明】
【技術分野】
【０００１】
本発明は、複数の框が矩形状に接合された框体を有する建具に関する。
【背景技術】
【０００２】
複数の框が矩形状に接合された框体を有する建具としては、上下框及び左右の縦框とが枠組みされた障子を有する建具が知られている。このような建具の枠組みされている框は、上下框のような横框と縦框とを接合するコーナーブロックに設けられた嵌合用突部が、横框と縦框との中空の部位にそれぞれ嵌合されて接合されている（例えば、特許文献１参照）。また、より強固に接合する場合には、横框と縦框とをコーナーブロックを介してビス止めしたり、または、横框と縦框とを直接ビス止めしている。
【特許文献１】実公平１―３９３５６号公報
【発明の開示】
【発明が解決しようとする課題】
【０００３】
上記従来の建具のように、横框と縦框とがコーナーブロックに嵌合されているだけで接合されている場合には、横框と縦框とが固定されていないため横框と縦框とが外れる虞があるとともに、枠組みされた框の剛性が低い虞がある。また、剛性を高め、横框と縦框とが外れないようにビス止めすると、製造に手間がかかり煩雑であるという課題があった。
【０００４】
本発明は、かかる課題に鑑みてなされたものであり、その目的とするところは、ビス止めすることなく、高い剛性を備えて横框と縦框とが強固に接合された障子を有する建具を提供することにある。
【課題を解決するための手段】
【０００５】
かかる目的を達成するために本発明の建具は、複数の框が矩形状に接合された框体を有する建具であって、前記框体は、互いに接合されて角部を形成する２本の框のうちの一方の框の小口を覆うための端部キャップが、前記一方の框内に長手方向に沿って挿入されていることにより、前記他方の框の長手方向における前記一方の框と前記端部キャップとの相対移動が規制されており、前記一方の框が、前記他方の框に、当該他方の框の長手方向から挿入されて、前記端部キャップに前記他方の框が係止されて前記他方の框の長手方向における前記端部キャップと前記他方の框との相対移動が規制されているとともに、前記一方の框と前記他方の框とが係合して前記他方の框の長手方向における前記一方の框と前記他方の框との相対移動が規制されていることを特徴とする建具である。
【０００６】
このような建具によれば、一方の框に端部キャップを挿入し、端部キャップが挿入された一方の框を、他方の框に、当該他方の框の長手方向から挿入するだけで、他方の框の長手方向における相対移動を規制することが可能である。また、端部キャップに他方の框が係止されるので、単なる嵌合により接合された框体より、強固に接合することが可能であり、矩形状に形成された框体の剛性を高めることが可能である。
【０００７】
かかる建具であって、前記端部キャップは、前記一方の框に長手方向に沿って挿入される挿入部と、前記挿入部が挿入されて前記框体の外周側となる前記小口の外周側部位に当接されるとともに当該外周側部位を覆う小口覆い部と、前記小口覆い部より前記框体の内周側にて当該小口より外側に突出して他方の框を係止するための係止部と、を有し、前記他方の框は、前記端部キャップが挿入された前記一方の框の前記小口を前記端部キャップとともに覆う端部覆い部と、前記端部覆い部に形成され、前記係止部が係止される係止受部と、を有し、前記他方の框に前記一方の框が挿入された際に、前記他方の框の先端が前記小口覆い部に当接されるとともに前記係止受部に前記係止部が係止されることが望ましい。
【０００８】
このような建具によれば、端部キャップが挿入された一方の框を他方の框に挿入するだけで、一方の框の小口を覆うことが可能である。また、一方の框が他方の框に挿入された際、すなわち他方の框が一方の框の小口を覆った状態では、端部キャップに設けられた係止部が、端部覆い部に形成された係止受部に挿入されて他方の框が係止されているので、他方の框の長手方向において一方の框に対して他方の框が外れないように接合することが可能である。
【０００９】
かかる建具であって、前記係止部は、前記端部キャップの弾性変形により、前記一方の框の長手方向に沿って前記一方の框の内方側に変位可能に形成され、前記他方の框に前記一方の框が挿入された際に、前記他方の框における端部覆い部の係止受部より先端側の部位は、前記一方の框の挿入方向への移動が前記係止部によって規制されていることが望ましい。
【００１０】
このような建具によれば、係止部が弾性変形により一方の框の内方側に変位可能なので、一方の框を他方の框に挿入する際には、他方の框の先端側が係止部に接触することにより係止部を一方の框の内方に変位させ、係止受部が係止部に至る際に係止部が係止受部に挿入されることにより係止部を小口の外側に復元させて、他方の框を端部キャップに係止することが可能である。このため、単に、一方の框を他方の框に挿入するだけで、係止受部に係止部を挿入させて容易に係合させることが可能であり、一方の框と他方の框とを容易に接合することが可能である。このとき、他方の框における端部覆い部の係止受部より先端側の部位は、一方の框の挿入方向への移動が係止部によって規制されているため、端部キャップと他方の框との接合状態を強固に維持することが可能である。
【００１１】
かかる建具であって、前記一方の框には、前記框体の内周側に切欠部を有し、前記他方の框には、前記他方の框に当該一方の框が挿入された際に前記切欠部に係合して、前記一方の框の長手方向における前記一方の框と前記他方の框との相対移動を規制する規制片を有することが望ましい。
【００１２】
このような建具によれば、他方の框に一方の框を係合させるだけで、一方の框の他方の框に対する一方の框の長手方向への相対移動を容易に規制することが可能である。
【発明の効果】
【００１３】
本発明によれば、ビス止めすることなく、高い剛性を備えて横框と縦框とが強固に接合された障子を有する建具を提供することが可能である。
【発明を実施するための最良の形態】
【００１４】
以下、本発明の一実施形態に係る建具について、図面を参照して説明する。  
本実施形態の建具１は、図１に示すように、室内外を仕切る壁部に設けられた枠体３に見付け方向にスライドして開閉自在に設けられた障子５を有し、障子５が開放された開口を覆う網戸１０を備えている。ここでは、本発明の特徴部分を、上記網戸１０にて詳述する。
【００１５】
網戸１０は、押出成形材でなるアルミニウム製の２本の横框２０及び２本の縦框３０が矩形状に枠組みされた框体１１と、框体１１に囲まれた空間に張り付けたれた網材１２とを有している。
【００１６】
以下の説明では、建具を室外側から見たときに上下となる方向を上下方向、左右となる方向を見付け方向、屋内外方向である奥行き方向を見込み方向として示す。また、網戸１０単体の説明であっても、枠体３に取り付けられた状態に基づいて、上下方向、見付け方向、見込み方向、及び、室内側及び室外側として示す。また、矩形状に枠組みされた框体１１に囲まれた空間側を内方または内側とし、空間と反対側の框体１１の外周側を外方または外側として示す。
【００１７】
横框２０には、上框（上側の横框）と下框（下側の横框）とがあるが、上框と下框とは上下が相違するだけで対称な形状をなしているので、ここでは図２〜図４に示すような上側の横框２０を例に挙げて説明する。
【００１８】
上側の横框２０は、見込み方向に対面する２つの壁部となる室内側横壁部２１及び室外側横壁部２２と、室内側横壁部２１の下端から室外方向に延出されて室外側横壁部２２に繋がった底板部２３と、室外側横壁部２２の底板部２３より下方に延出されている延出部２２ｅの下端から室内側に突出された下板部２４とを有している。
【００１９】
室内側横壁部２１及び室外側横壁部２２と底板部２３とは、断面が略Ｕ字状をなすような上方が開放された溝状に形成されている。室内側横壁部２１の上端部は室内側に、また、室外側横壁部２２の上端部は室外側にそれぞれ延出されており、縦框３０に挿入された際に縦框３０の上端部が当接される当接部２１ａ、２２ａが設けられている。ここで、横框２０においては、当接部２１ａ、２２ａが設けられている側が、框体１１として枠組みされた際に框体１１の外周側となり、下板部２４が設けられている側が、框体１１の内周側となる。
【００２０】
また、室内側横壁部２１及び室外側横壁部２２の対向する内面側には、上下方向の中央より上部側にそれぞれ対向する側に向かって突出された突出部２１ｂ、２２ｂが設けられている。室内側横壁部２１、室外側横壁部２２、底板部２３の内側の空間には、後述する端部キャップ５０が嵌合される。また、室内側横壁部２１と室外側横壁部２２とに設けられた突出部２１ｂ、２２ｂは、端部キャップ５０が横框２０に挿入される際に端部キャップ５０を案内するガイドとなる。
【００２１】
底板部２３と室外側横壁部２２の延出部２２ｅと下板部２４とは、断面が略Ｕ字状をなすような室内側に開放された溝状に形成されている。この溝状の部位には、網材１２を取り付けるための網戸ロープ（不図示）が嵌合される。このため、下板部２４の室内側の端部には、網材１２を取り付けるための網戸ロープが外れないように、底板部２３側に突出する鉤部２４ａが設けられている。
【００２２】
下板部２４には、長手方向の両端部近傍に縦框３０に挿入された際に、縦框３０に設けられた規制片３４ａと係合する切欠部２４ｂがそれぞれ設けられている。
【００２３】
縦框３０には、左側の縦框と右側の縦框とがあるが、左側の縦框と右側の縦框とは左右が相違するだけで対称な形状をなしているので、ここでは図２〜図４に示すような左側の縦框を例に挙げて説明する。
【００２４】
左側の縦框３０は、水平断面がほぼ長方形状をなし、見込み方向に対面する２つの壁部となる室内側縦壁部３１及び室外側縦壁部３２と、見付け方向に対向する２つの壁部となる外周側壁部３３及び内周側壁部３４と、内周側壁部３４における室外側縦壁部３２より僅かに室内側から框体における内方に向かって延出された縦框延出部３５と、縦框延出部３５の先端から室内側に突出された側板部３６とを有している。ここで、縦框３０においては、外周側壁部３３が設けられている側が、框体１１として枠組みされた際に框体１１の外周側となり、内周側壁部３４が設けられている側が、框体１１の内周側となる。
【００２５】
室内側縦壁部３１と室外側縦壁部３２との間隔は、横框２０の室内側横壁部２１と室外側横壁部２２との間隔より僅かに広く形成されている。また、内周側壁部３４の長手方向における両端部は、縦框３０に横框２０の端部が挿入されるように切除されている。具体的には、横框２０の端部の室内側横壁部２１及び室外側横壁部２２が、縦框３０の室内側縦壁部３１及び室外側縦壁部３２に沿うように挿入された際に、横框２０の底板部２３の下面から、縦框３０の上端が当接される当接部２１ａ、２２ａの下面までの距離と同じ長さに相当する領域と、室外側横壁部２２の切欠部２４ｂとして切り欠かれている部分の延出部２２ｅが入り込む領域とが切除されている。ここで、縦框３０において室外側横壁部２２の延出部２２ｅが入り込む領域の内周側の切除されない部位が、縦框３０に横框２０が挿入された際に切欠部２４ｂ係合して、横框２０の長手方向における縦框３０に対する横框２０の相対移動を規制する規制片３４ａである。
【００２６】
外周側壁部３３の長手方向における両端部の近傍には、縦框３０に横框２０が挿入された際に、横框２０に挿入されている端部キャップ５０の係止部５６が係止される係止受部としての係止孔３３ａが設けられている。
【００２７】
側板部３６と縦框延出部３５と内周側壁部３４とは、断面が略Ｕ字状をなすような室内側に開放された溝状に形成されている。この溝状の部位には、網材１２を取り付けるための網戸ロープ（不図示）が嵌合される。このため、側板部３６の室内側の端部には、網材１２を取り付けるための網戸ロープが外れないように、内周側壁部３４側に突出する鉤部３６ａが設けられている。縦框３０の側板部３６、縦框延出部３５、内周側壁部３４でなる溝状の部位と、横框２０の底板部２３、室外側横壁部２２の延出部２２ｅ、下板部２４でなる溝状の部位とは周方向に繋がるように形成されている。
【００２８】
端部キャップ５０は樹脂製の成形部材であり、図３および図４に示すように横框２０に対して横框２０の長手方向に沿って挿入される挿入部５１と、挿入部５１が挿入されて横框２０の外周側となる小口２０ａの外周側部位となる当接部２１ａ、２２ａの端（横框２０の長手方向端部）に当接されるとともに小口２０ａの外周側部位（横框２０の長手方向端部側部位）を覆う小口覆い部５５と、小口覆い部５５より横框２０の内周側にて小口２０ａより長手方向の外側に突出して縦框３０を係止するための係止部５６と、係止部５６を横框２０の長手方向に変位可能に支持する腕部５７と、を有している。
【００２９】
挿入部５１は、横框２０の室内側横壁部２１及び室外側横壁部２２に設けられた突出部２１ｂ、２２ｂより框体１１の外周側（上側）の領域に挿入される外周側挿入部５２と、突出部２１ｂ、２２ｂより框体１１の内周側（下側）の領域に挿入される内周側挿入部５３と、外周側挿入部５２と内周側挿入部５３とを連結している連結部５４とを有している。
【００３０】
外周側挿入部５２及び内周側挿入部５３の上下の端部側の部位は、見込み方向の幅が、横框２０の室内側横壁部２１及び室外側横壁部２２の間隔より僅かに広く形成されており、端部キャップ５０が横框２０の長手方向に沿って挿入されると、端部キャップ５０が横框２０に嵌合されるように構成されている。外周側挿入部５２と内周側挿入部５３との間に配置される連結部５４は、外周側挿入部５２と内周側挿入部５３との間隔が、室内側横壁部２１及び室外側横壁部２２に設けられた突出部２１ｂ、２２ｂの上下方向の幅より僅かに広く形成されており、連結部５４の見込み方向の幅が、室内側横壁部２１及び室外側横壁部２２に設けられた突出部２１ｂ、２２ｂの見込み方向の幅より狭く形成されている。このため、外周側挿入部５２と内周側挿入部５３との間には、室内側と室外側とにそれぞれ長手方向に沿うスリット５１ａが形成されている。
【００３１】
小口覆い部５５は、外周側挿入部５２の外周端側であって、横框２０の長手方向の一方側に外周側挿入部５２より突出させて設けられている。小口覆い部５５は、端部キャップ５０が横框２０に挿入された際に横框２０の室内側横壁部２１及び室外側横壁部２２に設けられた当接部２１ａ、２２ａに当接される部位が見込み方向に繋がった状態に形成されている。このため、横框２０の両端部に端部キャップ５０がそれぞれ挿入されると、２つの端部キャップ５０の小口覆い部５５と横框２０の当接部２１ａ、２２ａとが横框２０の上端部にて繋がって突出した状態となる。このとき、端部キャップ５０が横框２０に挿入された際に、小口覆い部５５が横框２０から突出する量、及び、当接部２１ａ、２２ａが室内側横壁部２１及び室外側横壁部２２から突出する量は、それぞれが当接する縦框３０の各壁部の肉厚分以上、つまり、小口覆い部５５は外周側壁部３３の肉厚分以上、当接部２１ａは室内側縦壁部３１の肉厚分以上、当接部２２ａは室外側縦壁部３２の肉厚分以上である。
【００３２】
係止部５６は、内周側挿入部５３の内周側であって、長手方向において小口覆い部５５が設けられている側の端部から延出された腕部５７に支持されている。腕部５７は、横框２０の長手方向に延出された端部から小口覆い部５５側に延出されており、その先端に係止部５６が一体に形成されている。係止部５６は、縦框３０に設けられた係止孔３３ａより僅かに小さく形成されており、腕部５７より横框２０の長手方向に突出され、突出された表面５６ａは小口覆い部５５とほぼ同じ位置まで突出されている。係止部５６は、腕部５７が弾性変形することにより、突出された位置から挿入部５１側に変位可能に形成されている。
【００３３】
網戸１０の框体１１の組み立ては、２本の横框２０の両端にそれぞれ端部キャップ５０を挿入した後に、端部キャップ５０が挿入された横框２０を２本の縦框３０に挿入することにより、矩形状に組み立てられる。框体１１の四隅における横框２０と縦框３０との接合構造は同じなので、ここでは図２のように、室内側から見て左上の角部を形成する上側の横框２０と左の縦框３０との接合部の例について説明する。
【００３４】
上側の横框（以下、上框という）２０と左の縦框（以下、左縦框という）３０とを接合する場合には、まず、上框２０に端部キャップ５０を長手方向に沿って挿入する。このとき、端部キャップ５０のスリット５１ａに入り込む上框２０の室内側横壁部２１及び室外側横壁部２２に設けられた突出部２１ｂ、２２ｂによってガイドされつつ挿入部５１が圧入される。上框２０に挿入された端部キャップ５０は、小口覆い部５５が上框２０の小口２０ａに当接される位置まで挿入される。このとき、端部キャップ５０の係止部５６は、上框２０の小口２０ａより外側に突出している。また、この状態では、上框２０の突出部２１ｂ、２２ｂが端部キャップ５０のスリット５１ａに入り込むことによって端部キャップ５０と上框２０との、左縦框３０の長手方向における相対移動が規制されている。
【００３５】
次に、端部キャップ５０が挿入されている上框２０を左縦框３０に挿入する。このとき、上框２０の左側の端部を左縦框３０の外周側壁部３３の内面に沿わせ、上框２０を左縦框３０の室内側縦壁部３１と室外側縦壁部３２との間に左縦框３０の長手方向、すなわち左縦框３０の上方から挿入する。上框２０の左側の端部を左縦框３０の外周側壁部３３の内面に沿わせ上框２０を挿入していくと、左縦框３０の上端部が、上框２０の小口２０ａから突出している係止部５６に接触する。その後、さらに上框２０を挿入していくと、係止部５６が左縦框３０の外周側壁部３３に押圧され、端部キャップ５０の腕部５７が弾性変形することにより係止部５６が上框２０の内方側に変位する。そして、左縦框３０の上端部が端部キャップ５０の小口覆い部５５の下部に当接されるとともに、左縦框３０の外周側壁部３３に設けられた係止孔３３ａが係止部５６の位置に至ると、腕部５７の弾性により係止部５６が押し戻されて係止孔３３ａに係止部５６が挿入される。このとき、左縦框３０に設けられた規制片３４ａが上框２０に設けられた切欠部２４ｂと係合する。
【００３６】
この状態で、上框２０の小口２０ａは、端部キャップ５０の小口覆い部５５と左縦框３０の外周側壁部３３とにて塞がれ、左縦框３０の係止孔３３ａに端部キャップ５０の係止部５６が挿入されることにより、端部キャップ５０と左縦框３０との上下方向（左縦框３０の長手方向）における相対移動が規制されている。すなわち、端部キャップ５０と上框２０との上下方向（左縦框３０の長手方向）における相対移動が規制され、端部キャップ５０と左縦框３０との上下方向における相対移動が規制されているので、上框２０と左縦框３０との上下方向（左縦框３０の長手方向）における相対移動も規制されている。ここで、端部キャップ５０が挿入されている上框２０を左縦框３０に挿入された際に、小口覆い部５５とともに上框２０の小口２０ａを覆う、左縦框３０の外周側壁部３３における端部側の部位が端部覆い部３３ｂの一例である。
【００３７】
また、左縦框３０に設けられた規制片３４ａが上框２０に設けられた切欠部２４ｂと係合することにより、上框２０と左縦框３０との、上框２０の長手方向における相対移動が規制されている。
【００３８】
本実施形態の建具１によれば、框体１１の互いに接合されて角部を形成する２本の框のうちの上框２０と上框２０の小口２０ａを覆うための端部キャップ５０とは、端部キャップ５０が上框２０に挿入されることより上下方向における相対移動が規制されており、左縦框３０と端部キャップ５０とは、左縦框３０に上下方向から上框２０が挿入されて端部キャップ５０に左縦框３０が係止されて上下方向における相対移動が規制されている。このため、上框２０に端部キャップ５０を挿入し、端部キャップ５０が挿入された上框２０を上下方向のいずれかから左縦框３０に挿入するだけで、上框２０と左縦框３０との上下方向における相対移動を規制し、端部キャップ５０に左縦框３０を係止させることにより相対移動を規制した状態を維持させることが可能である。また、端部キャップ５０に左縦框３０が係止されるので、単なる嵌合により接合された框体より強固に接合することが可能であり、矩形状に形成された框体１１の剛性を高めることが可能である。
【００３９】
また、端部キャップ５０が挿入された上框２０が左縦框３０に挿入された状態では、上框２０の内周側に設けられた切欠部２４ｂと左縦框３０の規制片３４ａとが係合するので、左縦框３０に上框２０を係合させるだけで上框２０と左縦框３０との、上框２０の長手方向における相対移動も規制されている。このため、上框２０に端部キャップ５０を挿入し、端部キャップ５０が挿入された上框２０を上下方向から左縦框３０に挿入するだけで、上框２０と左縦框３０との、上框２０の長手方向における相対移動も容易に規制することが可能である。
【００４０】
よって、框体１１の角部を形成する上框２０と左縦框３０をビス止めすることなく、高い剛性を備えて強固に接合された框体１１を有する建具１を提供することが可能である。
【００４１】
端部キャップ５０は、上框２０に挿入部５１が挿入されると、小口覆い部５５が上框２０における小口２０ａの外周側を覆う。また、左縦框３０は、端部キャップ５０が挿入された上框２０が挿入されると、端部覆い部５５が上框２０の小口２０ａを端部キャップ５０とともに覆う。このため、端部キャップ５０が挿入された上框２０を左縦框３０に挿入するだけで、上框２０の小口２０ａを覆うことが可能である。また、左縦框３０に上框２０が挿入された際、すなわち左縦框３０が上框２０の小口２０ａを覆った状態では、端部キャップ５０に設けられた係止部５６が、端部覆い部３３ｂに形成された係止孔３３ａに挿入されて係止されているので、上框２０と左縦框３０とが上下方向に外れないように接合することが可能である。また、上框２０が左縦框３０に挿入された際に、左縦框３０における端部覆い部３３ｂの係止孔３３ａより先端側の部位は、下方向（上框２０の挿入方向）への移動が係止部５６によって規制されているので、端部キャップ５０と左縦框３０との接合状態を強固に維持することが可能である。このとき、左縦框３０の先端は小口覆い部５５に当接されるので、図５に示すように、左縦框３０の端部覆い部３３ｂの係止孔３３ａより先端側の部位３３ｃは、小口覆い部５５と係止部５６とに挟まれる。このため、端部キャップ５０と左縦框３０とをより強固に接合することが可能である。
【００４２】
また、係止部５６が腕部５７の弾性変形により上框２０の内方側に変位可能なので、上框２０を左縦框３０に挿入する際には、左縦框３０の先端側が係止部５６に接触した際に係止部５６が上框２０の内方に変位し、係止部５６が係止孔３３ａに挿入される際に、係止部５６が小口２０ａの外側に復元して、左縦框３０を端部キャップ５０に係止することが可能である。このため、単に、上框２０を左縦框３０に挿入するだけで、係止孔３３ａに係止部５６を挿入させて上框２０と左縦框３０とを容易に接合することが可能である。
【００４３】
上記実施形態においては、網戸１０を構成する框体１１の例について説明したが、これに限らず、障子を構成する框体であっても構わない。また、建具１として引き戸を有する建具を例に説明したが、これに限らず、障子や網戸など、複数の框が矩形状に接合される框体を有する建具であれば構わない。
【００４４】
上記実施形態においては、横框２０に端部キャップ５０を挿入し、端部キャップ５０が挿入された横框２０を縦框３０に挿入する例について説明したが、縦框に端部キャップを挿入し、端部キャップが挿入された縦框を横框に挿入する形態であっても構わない。
【００４５】
上記実施形態においては、框体１１の見込み方向一方側を室内側、他方側を室外側として説明したが、この室内外の位置関係を逆にしても構わない。例えば、図２〜４において符号２１が付与されている横壁部を室外側横壁部とし、符号２２が付与されている横壁部を室内側横壁部としても良い。
【００４６】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４７】
【図１】本実施形態に係る建具を室外側からみた図である。
【図２】横框と縦框との接合部を示す図である。
【図３】横框と縦框との接合部を横框の小口側から見た分解斜視図である。
【図４】横框と縦框との接合部を図３の反対側から見た分解斜視図である。
【図５】上框と左縦框との接合部を見込む方向の中央部にて切断した切断面を室内側向かって見た断面図である。
【符号の説明】
【００４８】
１  建具、１０  網戸、１１  框体、２０  横框（上框）、２０ａ  小口、
２４ｂ  切欠部、３０  縦框（左縦框）、３３ａ  係止孔、３３ｂ  端部覆い部、
３４ａ  規制片、５０  端部キャップ、５１  挿入部、５２  外周側挿入部、
５３  内周側挿入部、５５  小口覆い部、５６  係止部
【図１】
2010106498.tif 000003
【図２】
2010106498.tif 000004
【図３】
2010106498.tif 000005
【図４】
2010106498.tif 000006
【図５】
2010106498.tif 000007